(57)【要約】【課題】本発明は、衣類乾燥機及びその制御方法の分野に属し、関連衣類乾燥機の作業効率が低いという問題を解決するために設計される衣類乾燥機及びその制御方法を提供する。【解決手段】  衣類乾燥機は、管路によって順に接続された液体貯蔵装置（１）、循環ポンプ（２）、放熱器パイプ（３）及び吸熱器パイプ（４）を含み、放熱器パイプ（３）の外側に放熱器ハウジング（５）が設けられており、吸熱器パイプ（４）の外側に吸熱器ハウジング（６）が設けられており、放熱器ハウジング（５）と吸熱器ハウジング（６）との間に凝縮器（７）が設けられており、放熱器ハウジング（５）は風入口（８）に連通され、吸熱器ハウジング（６）は還気口（９）に接続され、エネルギー貯蔵材料は、管路に沿って流れることができるように、液体キャリアにより駆動される。【選択図】図１
2018516726.tif 000002
【特許請求の範囲】
【請求項１】
管路によって順に接続された液体貯蔵装置（１）、循環ポンプ（２）、放熱器パイプ（３）及び吸熱器パイプ（４）を含む衣類乾燥機であって、
前記放熱器パイプ（４）の外側に放熱器ハウジング（５）が設けられており、前記吸熱器パイプ（３）の外側に吸熱器ハウジング（６）が設けられており、前記放熱器ハウジング（５）と前記吸熱器ハウジング（６）との間に凝縮器（７）が設けられており、前記放熱器ハウジング（５）は風入口（８）に連通され、吸熱器ハウジング（６）は還気口（９）に接続され、エネルギー貯蔵材料は、管路に沿って流れることができるように、液体キャリアにより駆動される、
衣類乾燥機。
【請求項２】
前記エネルギー貯蔵材料は、固液相変化材料である、
請求項１に記載の衣類乾燥機。
【請求項３】
前記液体貯蔵装置（１）の外側には、保温層が設けられている、
請求項１に記載の衣類乾燥機。
【請求項４】
前記エネルギー貯蔵材料の外側には、ポリ塩化ビニルＰＶＣまたはＰＴから製造されたプラスチックハウジングが被覆されている、
請求項１に記載の衣類乾燥機。
【請求項５】
前記エネルギー貯蔵材料は、ナノ複合固液相変化材料である、
請求項１〜４のいずれか一項に記載の衣類乾燥機。
【請求項６】
前記液体キャリアは、塩水である、
請求項１〜４のいずれか一項に記載の衣類乾燥機。
【請求項７】
請求項１〜６のいずれか一項に記載の衣類乾燥機に基づく制御方法であって、
エネルギー貯蔵材料が吸熱器ハウジング（６）において高温多湿な還気における熱を吸収し、湿熱空気における水分を凝縮し析出させることと、
凝縮冷却された乾燥空気が放熱器ハウジング（５）において吸熱したエネルギー貯蔵材料により加熱されることと、を含む、
制御方法。
【請求項８】
エネルギー貯蔵材料が吸熱器ハウジング（６）において高温多湿な還気における熱を吸収し、湿熱空気における水分を凝縮し析出させることは、
乾燥空気が風管に進入した後に加熱ユニット（１０）により加熱され、加熱された乾燥空気がドラム（１１）内に進入して被乾燥物を乾燥し、乾燥空気が被乾燥物における水分を吸収して高温多湿な熱気になること、
前記高温多湿な熱気が還気口（９）を通った後、吸熱器ハウジング（６）の筐体表面と接触し、エネルギー貯蔵材料が吸熱器パイプ（３）に流入し、前記高温多湿な熱気における熱を吸収し、高温多湿な熱気における水分を初期凝縮し析出させること、及び
初期凝縮された高温多湿な熱気が凝縮器（７）を流れることで、高温多湿な熱気における水分が再度凝縮し析出され、高温多湿な熱気は、温度が低下し、湿度が低減し、凝縮乾燥空気になることを含み、
凝縮冷却された乾燥空気が放熱器ハウジング（５）において吸熱したエネルギー貯蔵材料により加熱されることは、
前記凝縮乾燥空気が放熱器ハウジング（５）に進入し、加熱されたエネルギー貯蔵材料が吸熱器パイプ（３）に流入し、前記放熱器ハウジング（５）における凝縮乾燥空気に対して継続に初期加熱を行うことと、
初期加熱された凝縮乾燥空気が加熱ユニット（１０）により加熱された後、乾燥空気を形成して、前記ドラム（１１）内に進入することと、を含む、
請求項７に記載の制御方法。
【発明の詳細な説明】
【技術分野】
【０００１】
本出願は、衣類乾燥機及びその制御方法に関する。
【背景技術】
【０００２】
凝縮式衣類乾燥機は、空気を凝縮して除湿した後に循環させて乾燥媒体とすることができる電気器具である。関連技術において、潜熱蓄熱体が設置されている衣類乾燥機において、液体キャリアと、当該液体キャリアに懸濁しているマイクロカプセル化された相変化材料とからなる混合物は、衣類乾燥機の管路により、熱交換器とアキュムレータとの間に流れることができる。衣類乾燥機は、相変化材料が相変化する時の吸熱・放熱（衣類乾燥機が空気に対する除湿・加熱過程に対応する）特性によって空気を凝縮し除湿し或いは空気を加熱し乾燥する。
【０００３】
当該構造において、衣類乾燥機が空気に対する凝縮除湿または加熱乾燥は、２つの分けられた作業過程であり、当該混合物が空気に対する凝縮・除湿を終了した後、熱交換器から排出される必要があり、且つアキュムレータを介して転移された後、熱交換器内に再度進入して空気を加熱し乾燥する。このような衣類乾燥機は、作業効率が低く、除湿・加熱効果が悪い。
【発明の概要】
【０００４】
本発明の実施例において、作業効率が高く、除湿・加熱効果が良好である衣類乾燥機が提案されている。
【０００５】
本発明の実施例において、熱を有効に回収することができる衣類乾燥機の制御方法が提案されている。
【０００６】
管路によって順に接続された液体貯蔵装置、循環ポンプ、放熱器パイプ及び吸熱器パイプを含む衣類乾燥機であって、前記放熱器パイプの外側に放熱器ハウジングが設けられており、前記吸熱器パイプの外側に吸熱器ハウジングが設けられており、前記放熱器ハウジングと前記吸熱器ハウジングとの間に凝縮器が設けられており、前記放熱器ハウジングは風入口に連通され、前記吸熱器ハウジングは還気口に接続され、エネルギー貯蔵材料は、管路に沿って流れることができるように、液体キャリアにより駆動される。
【０００７】
好ましくは、前記エネルギー貯蔵材料は、固液相変化材料である。
【０００８】
好ましくは、前記液体貯蔵装置の外側には、保温層が設けられている。
【０００９】
好ましくは、前記エネルギー貯蔵材料の外側には、ポリ塩化ビニルＰＶＣまたはＰＴから製造されたプラスチックハウジングが被覆されている。
【００１０】
好ましくは、前記エネルギー貯蔵材料は、ナノ複合固液相変化材料である。
【００１１】
好ましくは、前記液体キャリアは、塩水である。
【００１２】
また、本発明の実施例において上記衣類乾燥機に基づく制御方法が提供されている。エネルギー貯蔵材料は、吸熱器ハウジングにおいて高温多湿な還気における熱を吸収し、湿熱空気における水分を凝縮し析出させる。凝縮冷却された乾燥空気は、放熱器ハウジングにおいて吸熱したエネルギー貯蔵材料により加熱される。
【００１３】
好ましくは、前記方法は、
乾燥空気が風管に進入した後に加熱ユニットにより加熱され、加熱された乾燥空気がドラム内に進入して被乾燥物を乾燥し、乾燥空気が被乾燥物における水分を吸収して高温多湿な熱気になるステップ、
高温多湿な熱気が還気口を通った後、吸熱器ハウジングの筐体表面と接触し、エネルギー貯蔵材料が吸熱器パイプに流入し、高温多湿な熱気における熱を吸収し、高温多湿な熱気における水分を初期凝縮し析出させるステップ、
初期凝縮された高温多湿な熱気が凝縮器を流れることで、高温多湿な熱気における水分が再度凝縮し析出され、高温多湿な熱気は温度が低下し、湿度が低減し、凝縮乾燥空気になるステップ、
当該凝縮乾燥空気が放熱器ハウジングに進入し、加熱されたエネルギー貯蔵材料が吸熱器パイプに流入し、前記放熱器ハウジングにおける凝縮乾燥空気に対して継続して初期加熱を行うステップ、及び
初期加熱された凝縮乾燥空気が加熱ユニットにより加熱された後、乾燥空気を形成して、前記ドラム内に進入するステップを含む。
【００１４】
本発明の実施例に係る衣類乾燥機において、液体貯蔵装置、循環ポンプ、放熱器パイプ及び吸熱器パイプは、管路によって順に接続されて通路を形成し、エネルギー貯蔵材料は、管路に沿って流れることができるように、液体キャリアにより駆動され、高温多湿な熱気に対して吸熱した後、凝縮された乾燥空気を加熱することにより、作業効率が高く、除湿・加熱の効果が良好になる。放熱器ハウジングは風入口に連通され、吸熱器ハウジングは還気口に接続され、且つ放熱器ハウジングと吸熱器ハウジングとの間に凝縮器が設置されており、高温多湿な熱気を流れさせてから凝縮し、除湿し、加熱するために用いられ、熱が浪費されないことを確保する。
【００１５】
本発明の実施例に係る衣類乾燥機の制御方法において、エネルギー貯蔵材料は、吸熱器ハウジングにおいて高温多湿な熱気における熱を吸収し、放熱器ハウジングにおいて凝縮し冷却された乾燥空気を加熱することにより、熱を有効に回収する。
【図面の簡単な説明】
【００１６】
【図１】本発明の好ましい実施例１に係る衣類乾燥機の構造模式図である。
【発明を実施するための形態】
【００１７】
以下、図面を参照しながら好ましい実施形態によって本発明の実施例に係る技術案を説明する。
【００１８】
実施例１
【００１９】
本好ましい実施例は衣類乾燥機を開示している。図１に示すように、当該衣類乾燥機は、管路によって順に接続された液体貯蔵装置１、循環ポンプ２、放熱器パイプ３及び吸熱器パイプ４を含み、放熱器パイプ４の外側に放熱器ハウジング５が設置されており、吸熱器パイプ３の外側に吸熱器ハウジング６が設置されており、放熱器ハウジング５と吸熱器ハウジング６との間に、風路に沿って凝縮器７が接続されており、放熱器ハウジング５は、風入口８に連通され、吸熱器ハウジング６は、還気口９に接続される。エネルギー貯蔵材料は、管路に沿って流れることができるように、液体キャリアにより駆動される。凝縮器７は、空冷式凝縮器である。
【００２０】
循環ポンプ２の駆動の下で、液体キャリアは、エネルギー貯蔵材料を運んで管路において持続的に流れることができるため、作業効率が高く、除湿・加熱の効果が良好である。
【００２１】
熱が無駄に浪費されることを回避するために、液体貯蔵装置１の外側に保温層が設置されており、エネルギー貯蔵材料に吸収された熱が全て凝縮された乾燥空気を加熱するために用いられることを保証する。液体貯蔵装置１は、その内部がらせん状の構造又は積層状の構造であり、らせん状、積層状の構造は、エネルギー貯蔵材料のガイド曲面として、液体貯蔵装置１内部のエネルギー貯蔵材料が液体貯蔵装置１に進入した後、先入り先出しを実行し、完全に循環することができ、よって、エネルギー貯蔵材料のエネルギーを十分に利用することができる。
【００２２】
液体キャリアがより順調にエネルギー貯蔵材料を運び管路に流すことができることを保証し、エネルギー貯蔵材料が管路又は装置の死角位置に進入して継続して流動できないことを回避するために、エネルギー貯蔵材料の外側にプラスチックハウジングが被覆されており、カプセル状の構造を形成する。プラスチックハウジングは、ポリ塩化ビニルＰＶＣまたはＰＴにより製造されることが好ましく、性能がより良く、製造コストが低い。
【００２３】
優れた吸熱・放熱効果を得るため、エネルギー貯蔵材料には、固液相変化材料を選び、且つナノ複合固液相変化材料が好ましい。エネルギー貯蔵材料の相変化点（エネルギー貯蔵材料の固相と液相との転換温度を指す）が６０℃であると、乾燥空気（即ち衣類乾燥機における多湿な物品を乾燥させるために用いられる空気）の還気温度が６０℃に上昇する前、エネルギー貯蔵材料は温度上昇だけであるが、その内部は固体から液体に転換されていない（即ちエネルギー貯蔵材料が相変化していない）。乾燥空気の還気温度が６０℃以上に上昇した後、エネルギー貯蔵材料が相変化過程で大量の熱を吸収するが、その温度を依然として６０℃に維持することにより、乾燥空気を最大で６０℃に冷却させて、前凝縮を生じる。乾燥空気が凝縮器に進入した後、凝縮器に除湿・冷却され、除湿・冷却の過程において、乾燥空気の水蒸気が飽和状態に達したため、当該乾燥空気における水分の析出を起こし、乾燥空気が相対的に乾燥され、且つ温度が６０℃以下に低下する。乾燥空気が放熱器ハウジング５内に進入すると、循環されたエネルギー貯蔵材料が６０℃の液体であるため、当該６０℃より低い乾燥空気は温度が６０℃のエネルギー貯蔵材料と再度熱交換を行い、当該エネルギー貯蔵材料は、潜熱を放熱し、加熱パイプに加熱される前に乾燥空気が予熱される。
【００２４】
好ましくは、液体キャリアは、塩水であり、その安定性と流動性が比較的良好である。
【００２５】
上記衣類乾燥機に基づく制御方法は、
乾燥空気が風管に進入した後に加熱ユニット１０により加熱され、加熱された乾燥空気がドラム１１内に進入して被乾燥物を乾燥し、乾燥空気が被乾燥物における水分を吸収して高温多湿な熱気になるステップ１、
前記高温多湿な熱気が還気口９を通った後、吸熱器ハウジング６の筐体表面と接触し、エネルギー貯蔵材料が吸熱器パイプ３に流入し、エネルギー貯蔵材料は、前記高温多湿な熱気における熱を吸収し、高温多湿な熱気における水分を初期凝縮し析出させるステップ２、
初期凝縮された高温多湿な熱気が凝縮器７を流れることで、高温多湿な熱気における水分が再度凝縮し析出され、高温多湿な熱気は、温度が低下し、湿度が低減し、凝縮乾燥空気になるステップ３、
前記凝縮乾燥空気が放熱器ハウジング５に進入し、加熱されたエネルギー貯蔵材料が吸熱器パイプ３に流入し、前記放熱器ハウジング５における凝縮乾燥空気に対して継続して初期加熱を行うステップ４、及び
初期加熱された凝縮乾燥空気が加熱ユニット１０により加熱された後、乾燥空気を形成して、前記ドラム１１内に進入するステップ５、を含む。
【００２６】
上記ステップの番号は、説明を容易にするためのものに過ぎず、ステップの実行順番を限定するものではない。
【００２７】
実施例２
【００２８】
本実施例は衣類乾燥機を開示し、その構造は、実施例１とほぼ同じである。衣類乾燥機は、管路によって順に接続された液体貯蔵装置、循環ポンプ、放熱器パイプ及び吸熱器パイプを含み、放熱器パイプの外側に放熱器ハウジングが設置されており、吸熱器パイプの外側に吸熱器ハウジングが設置されており、放熱器ハウジングと吸熱器ハウジングとの間に凝縮器が設置されており、放熱器ハウジングは、風入口に連通され、吸熱器ハウジングは、還気口に接続され、エネルギー貯蔵材料は、管路に沿って流れることができるように、液体キャリアにより駆動される。
【００２９】
相違点は以下の通りである。凝縮器は空冷凝縮器に限られず、ヒートポンプ蒸発器又は他の構造であってもよいし、高温多湿な熱気を除湿し凝縮できれば良い。液体貯蔵装置の外側に保温層が設置されてもよいし、他の手段を保温手段としてもよく、エネルギー貯蔵材料により吸収された熱の浪費を回避できれば良い。エネルギー貯蔵材料の外側にプラスチックハウジングが被覆されてもよいし、被覆されなくてもよく、エネルギー貯蔵材料が順調に流れることを保証できればよい。エネルギー貯蔵材料は特殊に限定されず、固液相変化材料（ナノ複合固液相変化材料が好ましい）であってもよいし、他の種類のエネルギー貯蔵材料であってもよく、乾燥空気における熱を回収して再利用できれば良い。液体キャリアの物質は限定されず、塩水であってもよいし、他の種類の液体であってもよく、エネルギー貯蔵材料が流れるように安定・順調に駆動できればよい。
【００３０】
本実施例に係る衣類乾燥機の制御方法によれば、エネルギー貯蔵材料が吸熱器ハウジングにおいて高温多湿な熱気における熱を吸収することにより、高温多湿な熱気における水分を凝縮し析出させ、凝縮冷却された高温多湿な熱気が乾燥空気になり、当該乾燥空気が放熱器ハウジングにおいて吸熱したエネルギー貯蔵材料により加熱される。
【００３１】
当該制御方法のステップは限定されず、吸熱器ハウジングにおいて高温多湿な熱気における熱を吸収し、放熱器ハウジングにおいて凝縮冷却された乾燥空気を加熱することを実現できれば良い。
【００３２】
なお、上記内容は、本発明の実施例に係る好ましい実施例及び用いられる技術的原理に過ぎない。当業者にとって、本発明の実施例はここで記載された好ましい実施例に限定されず、本出願の保護範囲を逸脱しない前提で、さまざまな明らかな変更、再調整及び置換を行うことができると理解すべきである。
【符号の説明】
【００３３】
１、液体貯蔵装置
２、循環ポンプ
３、放熱器パイプ
４、吸熱器パイプ
５、放熱器ハウジング
６、吸熱器ハウジング
７、凝縮器
８、風入口
９、還気口
１０、加熱ユニット
１１、ドラム
【図１】
2018516726.tif 000003
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
管路によって順に接続された液体貯蔵装置（１）、循環ポンプ（２）、放熱器パイプ（３）及び吸熱器パイプ（４）を含む衣類乾燥機であって、
前記放熱器パイプ（３）の外側に放熱器ハウジング（５）が設けられており、前記吸熱器パイプ（４）の外側に吸熱器ハウジング（６）が設けられており、前記放熱器ハウジング（５）と前記吸熱器ハウジング（６）との間に凝縮器（７）が設けられており、前記放熱器ハウジング（５）は風入口（８）に連通され、吸熱器ハウジング（６）は還気口（９）に接続され、エネルギー貯蔵材料は、管路に沿って流れることができるように、液体キャリアにより駆動される、
衣類乾燥機。
【請求項２】
前記エネルギー貯蔵材料は、固液相変化材料である、
請求項１に記載の衣類乾燥機。
【請求項３】
前記液体貯蔵装置（１）の外側には、保温層が設けられている、
請求項１に記載の衣類乾燥機。
【請求項４】
前記エネルギー貯蔵材料の外側には、ポリ塩化ビニルＰＶＣまたはＰＴから製造されたプラスチックハウジングが被覆されている、
請求項１に記載の衣類乾燥機。
【請求項５】
前記エネルギー貯蔵材料は、ナノ複合固液相変化材料である、
請求項１〜４のいずれか一項に記載の衣類乾燥機。
【請求項６】
前記液体キャリアは、塩水である、
請求項１〜４のいずれか一項に記載の衣類乾燥機。
【請求項７】
請求項１〜６のいずれか一項に記載の衣類乾燥機に基づく制御方法であって、
エネルギー貯蔵材料が吸熱器ハウジング（６）において高温多湿な還気における熱を吸収し、湿熱空気における水分を凝縮し析出させることと、
凝縮冷却された乾燥空気が放熱器ハウジング（５）において吸熱したエネルギー貯蔵材料により加熱されることと、を含む、
制御方法。
【請求項８】
エネルギー貯蔵材料が吸熱器ハウジング（６）において高温多湿な還気における熱を吸収し、湿熱空気における水分を凝縮し析出させることは、
乾燥空気が風管に進入した後に加熱ユニット（１０）により加熱され、加熱された乾燥空気がドラム（１１）内に進入して被乾燥物を乾燥し、乾燥空気が被乾燥物における水分を吸収して高温多湿な熱気になること、
前記高温多湿な熱気が還気口（９）を通った後、吸熱器ハウジング（６）の筐体表面と接触し、エネルギー貯蔵材料が吸熱器パイプ（３）に流入し、前記高温多湿な熱気における熱を吸収し、高温多湿な熱気における水分を初期凝縮し析出させること、及び
初期凝縮された高温多湿な熱気が凝縮器（７）を流れることで、高温多湿な熱気における水分が再度凝縮し析出され、高温多湿な熱気は、温度が低下し、湿度が低減し、凝縮乾燥空気になることを含み、
凝縮冷却された乾燥空気が放熱器ハウジング（５）において吸熱したエネルギー貯蔵材料により加熱されることは、
前記凝縮乾燥空気が放熱器ハウジング（５）に進入し、加熱されたエネルギー貯蔵材料が吸熱器パイプ（３）に流入し、前記放熱器ハウジング（５）における凝縮乾燥空気に対して継続に初期加熱を行うことと、
初期加熱された凝縮乾燥空気が加熱ユニット（１０）により加熱された後、乾燥空気を形成して、前記ドラム（１１）内に進入することと、を含む、
請求項７に記載の制御方法。
【手続補正２】
【補正対象書類名】明細書
【補正対象項目名】００１９
【補正方法】変更
【補正の内容】
【００１９】
本好ましい実施例は衣類乾燥機を開示している。図１に示すように、当該衣類乾燥機は、管路によって順に接続された液体貯蔵装置１、循環ポンプ２、放熱器パイプ３及び吸熱器パイプ４を含み、放熱器パイプ３の外側に放熱器ハウジング５が設置されており、吸熱器パイプ４の外側に吸熱器ハウジング６が設置されており、放熱器ハウジング５と吸熱器ハウジング６との間に、風路に沿って凝縮器７が接続されており、放熱器ハウジング５は、風入口８に連通され、吸熱器ハウジング６は、還気口９に接続される。エネルギー貯蔵材料は、管路に沿って流れることができるように、液体キャリアにより駆動される。凝縮器７は、空冷式凝縮器である。
【国際調査報告】
2018516726.tif 000004
2018516726.tif 000005
2018516726.tif 000006
2018516726.tif 000007